(57)【要約】【課題】表示板の表示情報と異なる表示情報を表示することができる表示装置を提供する。【解決手段】本発明にかかる表示装置１００は、  筐体５０と、  前記筐体５０内に収納され、第１情表示情報が表示された表示板４０と、  前記表示板４０の背面側に配置され、拡散面２５ｂと前記拡散面２５ｂで拡散した光を前記表示板４０に向かって出射する出射面２５ａとを形成した導光板と、  前記導光板２０の側面から光を導入する第１光源部材１０と、  前記導光板２０内に少なくとも一部が埋設され、前記表示板４０に光を照射可能な１又は２以上の第２光源部材６０と、  を備えた。【選択図】図１
2014098775.tif 000002
【特許請求の範囲】
【請求項１】
筐体と、
前記筐体内に収納され、第１表示情報が表示された表示板と、
前記表示板の背面側に配置され、拡散面と前記拡散面で拡散した光を前記表示板に向かって出射する出射面とを形成した導光板と、
前記導光板の側面から光を導入する第１光源部材と、
前記導光板内に少なくとも一部が埋設され、前記表示板に光を照射可能な１又は２以上の第２光源部材と、
を備えたことを特徴とする表示装置。
【請求項２】
前記第２光源部材は、前記第１光源部材と異なる明るさ又は色彩を有することを特徴とする請求項１に記載の表示装置。
【請求項３】
前記導光板の拡散面には、拡散ドット及び拡散溝の一方又は両方が形成されていることを特徴とする請求項１又は２に記載の表示装置。
【請求項４】
前記導光板は、前記第２光源部材が配置される貫通孔が形成されていることを特徴する請求項１から３のいずれか１項に記載の表示装置。
【請求項５】
前記第２光源部材は、光の一部を前記導光板の前記貫通孔側面から導光板内に導入することを特徴とする請求項４に記載の表示装置。
【請求項６】
前記第２光源部材の光の少なくとも３０％以上が前記導光板内に導入されることを特徴とする請求項１から５のいずれか１項に記載の表示装置。
【請求項７】
前記第２光源部材は、前記貫通孔に取り付け可能な光源取付部材を介して取り付けられていることを特徴とする請求項４から６のいずれか１項に記載の表示装置。
【請求項８】
前記光源取付部材は、側壁が透明部材で形成されていることを特徴とする請求項７に記載の表示装置。
【請求項９】
前記光源取付部材は、側壁が光を遮断可能に形成されていることを特徴とする請求項７に記載の表示装置。
【請求項１０】
前記光源取付部材は、前記貫通孔内に取り付け可能であって、かつ前記第２光源部材の光の一部を側方方向へ拡散する拡散機能を有するものであることを特徴とする請求項７又は８に記載の表示装置。
【請求項１１】
前記光源取付部材は、先端に凸レンズ又は凹レンズを備えていることを特徴とする請求項７から１０のいずれか１項に記載の表示装置。
【請求項１２】
前記光源取付部材は、先端に平行レンズを備えていることを特徴とする請求項７から１０のいずれか１項に記載の表示装置。
【請求項１３】
前記光源取付部材は、先端に拡散レンズを備えていることを特徴とする請求項７から１０のいずれか１項に記載の表示装置。
【請求項１４】
前記第２光源部材は、砲弾型のＬＥＤであることを特徴とする請求項１から１３のいずれか１項に記載の表示装置。
【請求項１５】
前記第２光源部材が前記導光板に第２表示情報を表示するように複数配置されていることを特徴とする請求項１から１４のいずれか１項に記載の表示装置。
【請求項１６】
前記第２光源部材が前記導光板に複数配置されており、複数の前記第２光源部材の一部を選択して発光させることによって第２表示情報を表示することを特徴とする請求項１から１５のいずれか１項に記載の表示装置。
【請求項１７】
前記第２光源部材が点灯している間は、前記第１光源部材は消灯していることを特徴とする請求項１から１６のいずれか１項に記載の表示装置。
【請求項１８】
前記第２光源部材が点灯している間は、前記第１光源部材の光が弱くなることを特徴とする請求項１から１７のいずれか１項に記載の表示装置。
【請求項１９】
前記第２光源部材は、点滅又は光の強弱を周期的又は非周期的に調整可能に形成されていることを特徴とする請求項１から１７のいずれか１項に記載の表示装置。
【請求項２０】
前記導光板の拡散面側には、反射板又は反射シートが備えられていることを特徴とする請求項１から１９のいずれか１項に記載の表示装置。
【請求項２１】
請求項１から２０のいずれか１項に記載の表示装置の前記第１表示情報が交通標識を表す表示情報であることを特徴とする標識。
【発明の詳細な説明】
【技術分野】
【０００１】
本発明は、表示装置及び標識に関する。
【背景技術】
【０００２】
従来、導光板の側面から光を入射して、一方の主面で光を拡散させて他方の主面から光を出射させる導光板を使用し、出射面側に表示情報を有する表示板を配置した表示装置が種々提案されている（例えば、特許文献１、２）。
【０００３】
しかしながら、こうした導光板は、点灯及び消灯によって表示情報を表示したり、表示しなかったりすることは可能であるが、表示板の表示情報以外の表示情報を表示することはできないという課題があった。
【先行技術文献】
【特許文献】
【０００４】
【特許文献１】特開２０１２−４７９７６号公報
【特許文献２】特開２０１１−２０９６２３号公報
【発明の概要】
【発明が解決しようとする課題】
【０００５】
本発明は、主として、表示板の表示情報以外の情報を提供可能な表示装置を提供することを主たる目的とする。
【課題を解決するための手段】
【０００６】
本発明は、上述の目的を達成するために以下の手段を採った。
【０００７】
本発明にかかる表示装置は、
筐体と、
前記筐体内に収納され、第１表示情報が表示された表示板と、
前記表示板の背面側に配置され、拡散面と、前記拡散面で拡散した光を前記表示板に向かって出射する出射面とを形成した導光板と、
前記導光板の側面から光を導入する第１光源部材と、
前記導光板内に少なくとも一部が埋設され、前記表示板に光を照射可能な１又は２以上の第２光源部材と、
を備えたことを特徴とする。
【０００８】
本発明にかかる表示装置は、導光板内に入射した光を拡散面で拡散させて主として出射面から比較的均一な光を出射する第１光源部材の光と、導光板の内側に配置されて主としてスポット的な光を表示板に出射する第２光源部材の光と、を供給する２つの光源部材を備えている。そのため、全体に比較的均一に光る第１光源部材からの光によって主として表示板の第１表示情報が視認でき、部分的に強く光る第２光源部材からの光によって観る者に注意を喚起することができる。よって、第１表示情報の情報をより観る者に確実に伝えることができる。
【０００９】
また、本発明にかかる表示装置において、前記第２光源部材は、前記第１光源部材と異なる明るさ又は色彩を有するものであってもよい。かかる構成を採用することによって、第２光源部材を発光させた場合に、第２光源部材の光が第１光源部材の光と異なる視認性を有するため、第２光源部材の光をより目立ちやすくさせたり、独特の意味合いを有する表示情報を提供したりすることができる。よって、視認者に対してより高い注意を喚起させることができる。例えば、第２光源部材の光の色を赤色とすれば、警告的な意味合いを持つ情報であることをより強調させることができる。
【００１０】
さらに、本発明にかかる表示装置において、前記導光板の拡散面には、拡散ドット及び拡散溝の一方又は両方が形成されていてもよい。入射側面から入射された光を拡散させ、出射面から出射させる構成として、拡散面に拡散ドット又は拡散溝を形成するという採用することで、第１光源部材の光を効率良く、かつ比較的均一に出射面へ出射することができる。
【００１１】
さらに、本発明にかかる表示装置において、前記導光板は、前記第２光源部材が配置される貫通孔が形成されていてもよい。かかる構成を採用することによって、第２光源部材から出射した光の一部は導光板を介することなく直接表示板に照射される。そのため、第２光源部材の光がより明るくなるため、第２光源部材の表示情報を認識しやすくなる。また、貫通孔に形成することによって、貫通孔側面の透過性を調整することによって、第２光源部材の光を導光板に導入する割合を調整することができる。すなわち、貫通孔側面が光を遮断するように形成すれば、第２光源部材の光が導光板内に導入することを防止することができる。例えば、光反射部材や光遮断部材を貫通孔側面全体に設ければ、導光板内に光が導入されるのを防止することができるとともに、貫通孔側面に当たった光は反射されて効率良く表示板へ光を導出することができる。一方、貫通孔側面を透明にすれば、第２光源部材の光を導光板内に導入することができ、導光板を第２光源部材の光で発光させることができる。さらに、半透明にすることで、第２光源部材の光が導光板内に導入する割合を調整することができる。
【００１２】
さらに、本発明にかかる表示装置において、前記第２光源部材は、光の一部を導光板の貫通孔側面から導光板内に導入するものであってもよい。かかる構成を採用することによって、第２光源部材の光の一部を貫通孔側面から導光板内に入射し、第２光源部材の光の一部が導光板を介して出射面全体から比較的均一な光として出射する。例えば、第２光源部材の光の色として赤色を使用した場合に、第２光源部材を点灯した際に導光板全体をぼんやりと赤く光らせることができる。よって、表示板全体を赤色に視認できるようにすることができる。
【００１３】
さらに、本発明にかかる表示装置において、前記第２光源部材の光の少なくとも３０％以上が前記導光板内に導入されてもよい。第２光源部材の光の３０％以上を導光板内に導入することで、導光板全体から出射する第２光源部材の光が認識しやすくなる。
【００１４】
さらに、本発明にかかる表示装置において、前記第２光源部材は、貫通孔に取り付け可能な光源取付部材を介して取り付けられているものであってもよい。かかる構成を採用することによって、第２光源部材を導光板内に容易に設置することができ、設置した状態で安定させやすくできる。
【００１５】
さらに、本発明にかかる表示装置において、前記光源取付部材は、側壁が透明部材で形成されていてもよい。側壁を透明部材で形成することによって、第２光源部材からの光が側壁から漏れて、光源取付部材を介して導光板内に入射することが可能になる。これによって、第２光源部材の光の一部が導光板を介して出射面から出射される。そのため、例えば、第２光源部材の光の色として赤色を使用した場合に、第２光源部材を点灯した際に導光板全体を赤く光らせることができ、また、第２光源部材の光の色を変化させることで、導光板全体の発光色を変化させることができる。
【００１６】
さらに、本発明にかかる表示装置において、前記光源取付部材は、側壁が光を遮断可能に形成されているものであってもよい。かかる構成を採用することによって、第２光源部材の光が導光板内に導入することを防止することができる。例えば、光遮断素材からなるテープ、例えば光反射テープを側壁全体に設けたり、側壁を光遮断可能な素材で作成したりすれば、導光板内に光が導入されるのを防止することができるとともに、光源取付部材の側壁に当たった光が反射されて表示板へ光を効率良く導出することができる。
【００１７】
さらに、本発明にかかる表示装置において、前記光源取付部材は、前記貫通孔内に取り付け可能であって、かつ第２光源部材の光の一部を側方方向へ拡散する拡散機能を有するものであってもよい。すなわち、第２光源部材の光を積極的に側方方向へ光を出射させることによって、第２光源部材の光を導光板の出射面から出射する光の光量を増加させることができる。そのため、表示板全体をより強く第２光源部材の光の色や明るさに発光させることができる。
【００１８】
さらに、本発明にかかる表示装置において、前記光源取付部材は、先端に凸レンズ又は凹レンズを備えているものであってもよい。かかる構成を採用することによって、第２光源部材の光を収束させて出射したり、拡散させて出射したりすることができる。そのため、表示板に照射させる際の光のスポットの拡がり具合を調整することができる。また、表示板に照射させた際の光の到達領域を調整することができる。
【００１９】
さらに、本発明にかかる表示装置において、前記光源取付部材は、先端に平行レンズを備えていてもよい。平行レンズを有する光源取付部材を使用することによって、第２光源部材の光を平行光として出射することができる。そのため、表示板にレンズとほぼ同じ大きさのスポットの光を照射することができる。また、表示板を通過した光はより遠くまで光を照射することができる。
【００２０】
さらに、本発明にかかる表示装置において、前記光源取付部材は、先端に拡散レンズを備えていてもよい。拡散レンズを有する光源取付部材を使用することによって、第２光源部材の光を拡散することができるため、表示板に対してより広くぼんやりしたスポットの光を照射することができる。また、表示板を通過した光をより広域に出射することができる。
【００２１】
さらに、本発明にかかる表示装置において、前記第２光源部材は砲弾型のＬＥＤであってもよい。砲弾型のＬＥＤを使用することによって、第２光源部材の光をより前方方向へまっすぐ光を出射することができる。
【００２２】
さらに、本発明にかかる表示装置において、前記第２光源部材が前記導光板に第２表示情報を表示するように複数配置されていてもよい。第２光源部材をあらかじめ所定の情報、例えば、文字、絵等の情報を表すように配置しておくことで、第２光源部材を発光させた際に、明確な意味を有する情報を視認者に与えることができる。
【００２３】
さらに、本発明にかかる表示装置において、前記第２光源部材が前記導光板に複数配置されており、複数の前記第２光源部材の一部を選択して発光させることによって第２表示情報を表示するものであってもよい。例えば、格子状に多数の第２光源部材を配置しておき、この第２光源部材のいくつかを発光させることによって、様々な表示情報を形作ることができるようにしておくことができる。かかる構成を採用することによって、発光させる第２光源部材を選択することで、複数の異なる表示情報を表示することができる。
【００２４】
さらに、本発明にかかる表示装置において、前記第２光源部材が点灯している間は、前記第１光源部材は消灯しているものであってもよい。かかる構成を採用することによって、第２光源部材の光をより強く視認させることができ、第２光源部材による表示情報をより明確に表示することができる。
【００２５】
さらに、本発明にかかる表示装置において、前記第２光源部材が点灯している間は、第１光源部材の光が弱くなるものであってもよい。かかる構成を採用することによって、第２光源部材の光をより強く視認させることができ、第２光源部材による表示情報をより明確に表示することができる。また、第１光源部材の光も完全に消灯はしていないため、表示板全体の明るさを保つことができる。
【００２６】
さらに、本発明にかかる表示装置において、前記第２光源部材は、点滅又は光の強弱を周期的又は非周期的に調整可能に形成されていてもよい。点滅や光の強弱を周期的又は非周期的に変化させることによって、第２表示情報に動きが発生するため、注意喚起の効果をより強く発揮させることができる。
【００２７】
さらに、本発明にかかる表示装置において、前記導光板の拡散面側には、反射板又は反射シートが備えられていてもよい。反射板又は反射シートを導光板の拡散面に設けることによって、光が拡散面側に漏れるのを効率良く防止することができ、表示板に効率良く光を照射することができる。また、反射板又は反射シートの色を選択することで、正面から視認される光の色を変化させることができる。
【００２８】
さらに、本発明にかかる標識は、上述した表示装置において、第１表示情報に交通標識を使用したものである。これにより、通常表示する交通情報と異なる表示情報をさらに表示することができる標識とすることができる。
【発明の効果】
【００２９】
本発明の表示装置又は標識によれば、表示板の表示情報と異なる表示情報を表示することができる。
【図面の簡単な説明】
【００３０】
【図１】図１は、第１実施形態にかかる表示装置１００を示す分解斜視図である。
【図２】図２は、第１実施形態にかかる表示装置１００を示す斜視図である。
【図３】図３は、第１実施形態にかかる表示装置１００の断面図である。
【図４】図４は、図１における第１実施形態にかかる表示装置１００の一部拡大斜視図である。
【図５】図５は、第１実施形態にかかる表示装置１００に使用される導光板に拡散ドット２６のバリエーションを示す斜視図である。
【図６】図６は、第１実施形態にかかる表示装置１００の光源取付部材６５を示す斜視図及び断面図である。
【図７】図７は、第１実施形態にかかる表示装置１００の光源取付部材６５のバリエーションを示す断面図である。
【図８】図８は、第１実施形態にかかる表示装置１００の光源取付部材６５のさらなるバリエーションを示す断面図である。
【図９】図９は、第１実施形態にかかる表示装置１００において第２光源部材６０を発光させた状態を模式的に表した斜視図である。
【図１０】図１０は、第１実施形態にかかる表示装置１００において第２光源部材６０を発光させ、第１光源部材１０を消灯した状態を模式的に表した斜視図である。
【図１１】図１１は、第２実施形態にかかる表示装置１００において、光源取付部材６５を導光板２０に取り付ける際の配置の一例を示す正面図である。
【図１２】図１２は、第２実施形態にかかる表示装置１００の第２光源部材６０を発光させた場合を示す斜視図である。
【図１３】図１３は、第３実施形態にかかる表示装置１００において、光源取付部材６５を導光板２０に取り付ける際の配置の一例を示す導光板２０を模式的に表した正面図である。
【図１４】図１４は、第４実施形態にかかる表示装置１００の断面図である。
【図１５】図１５は、表示板４０の別実施形態を示す斜視図である。
【発明を実施するための形態】
【００３１】
本発明にかかる表示装置１００の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号が付されている。
【００３２】
（第１実施形態）
第１実施形態にかかる表示装置１００が主として図１〜図３に示されている。図１は、第１実施形態にかかる表示装置１００の分解斜視図、図２は第１実施形態にかかる表示装置１００の斜視図及び図３は第１実施形態にかかる表示装置１００の断面図を示す。第１実施形態にかかる表示装置１００は、図１に示すように、主として、第１光源部材１０と、この第１光源部材１０からの光が入射側面２１（第１実施形態では底面）から入射され、拡散面２５ｂで拡散し、主として出射面２５ａから出射する導光板２０と、この導光板２０の拡散面２５ｂに配置される反射板３０と、導光板２０に反射板３０に対して反対側に配置される表示板４０と、これらを収容する筐体５０（ベース部５０ａ、カバー部５０ｂ）を備えている。
【００３３】
第１光源部材１０は、図１に示すように、電源（図示しない。）と接続された電源コード１３から供給された電気で発光する光源１１と、この光源１１が取り付けられた基板１２と、この基板１２が配置されるとともに導光板２０及び反射板３０を保持する断面略Ｕ字型の金属で作製された保持部材１４とを備えている。光源１１には、発光ダイオードが使用される。発光ダイオードは、平面発光型、側面発光型、砲弾型等いずれのタイプであってもよい。好ましくは、平面発光型を使用するとよい。光源１１の光の色は、限定するものではなく、例えば、白色、赤色、橙色、黄色、緑色、青色、藍色又は紫色のいずれかの色若しくはそれらの色の組み合わせ等であってもよい。第１実施形態においては、白色の発光ダイオードを使用している。基板１２には、複数の光源１１が等間隔に配置されており、入射側面２１から導光板２０内に光を導入することができる。なお、第１光源部材１０の電源として、筐体等にソーラーパネル等を設け、これらによって発生した電気を利用してもよいし、ソーラーパネルで発生した電気を蓄電池に充電することにより電気を一旦蓄えて使用してもよい。
【００３４】
保持部材１４は、図３に示すように、底面に基板１２が配置され、その上方にそれぞれ重ね合わされた状態の導光板２０及び反射板３０を挟持して保持することができる。
【００３５】
導光板２０は、光が内部を通過可能な透明な樹脂で作製されており、例えば、メチルメタクリレートやエチルメタクリレート等のメタクリル樹脂の他、メチルアクリレート、エチルアクリレート等のアクリル製樹脂、ポリカーボネート、ポリエチレン等の種々の素材を用いることができる。高透過性を有する素材であれば特に限定するものではない。導光板２０の厚さは、３．０ｍｍから１５．０ｍｍ程度のものが使用されるがこれに限定するものではない。本実施形態においては厚さが８．０ｍｍの高透過性を有するメタクリル樹脂を使用している。
【００３６】
導光板２０は、図３及び図４に示すように、導光板２０は、表示板４０の背面側に配置されて、拡散面２５ｂで拡散した光を前記表示板４０に向かって光を出射する出射面とが形成されている。拡散面２５ｂには、複数の拡散ドット２６が形成されていて、入射された光がこの拡散ドット２６で拡散されて、主として出射面２５ａから出射する。拡散ドット２６は、凹んだ穴状の凹部に形成される。凹部の形状は特に限定するものではなく、図５に示すように、四角錐形状（図５Ａ）、円錐形状（図５Ｂ）、三角錐形状（図５Ｃ）、四角錐台形状（図５Ｄ）、半円球形状（図５Ｅ）等種々の穴の形態を選択することができる。また拡散ドットの作製方法としては、超音波加工、加熱加工、レーザ加工、切削加工等種々の加工方法を採用することができる。本実施形態においては、拡散ドット２６は、略四角錐形状に凹む凹部からなり、四角錐底面に相当する位置が導光板２０の拡散面２５ｂに位置するように設けられている。なお、個々の拡散ドット２６の大きさは、同じであっても異なっていても良い。例えば、光源１１から遠ざかるにつれて、四角錐型の拡散ドット２６の各辺を徐々に長くしたり、四角錐型の拡散ドット２６の深さを徐々に深くしたりしても良い。こうすれば、光源１１から近く光が強い位置では拡散される光量が小さくなり、光源１１から遠ざかるにつれて拡散される光量が大きくなるため、拡散面２５ｂに到達する光の光量を均等に近づけることができる。本実施形態では拡散ドット２６の各辺の長さが約０．６ｍｍ、深さが約０．４ｍｍであり、隣り合う四角錐型の拡散ドット２６間のピッチが２．０ｍｍに形成されている。しかし、これに限定するものではなく、適宜好適なサイズを選択することができる。好ましくは、四角錐型の拡散ドット２６の各辺の長さは、０．２ｍｍ〜１．５ｍｍで選択するとよい。また、四角錐型の拡散ドット２６の深さは、０．４ｍｍ〜０．８ｍｍで選択するとよい。また、隣り合う四角錐型の拡散ドット２６間のピッチについても特に限定するものではなく、例えば、１．５ｍｍ〜８．０ｍｍのピッチの間から適宜選択することができる。好ましくは、１．５ｍｍ〜３．０ｍｍのピッチに作製するとよい。
【００３７】
四角錐型の拡散ドット２６を超音波加工によって作製する方法としては、先端面に拡散ドット２６を反転させた形状を有する加工ドットが縦横に複数マトリクス状に配置されている超音波加工ホーンを、導光板２０に対して垂直に押圧して、加工ドットの形状が反映された形状の四角錐型の拡散ドット２６を形成する方法がある。
【００３８】
なお、拡散ドット２６の形状としては、凹状に凹んだ凹部に限らず、凸状の膨らんだ拡散凸部（図５Ｆ）であってもよい。拡散凸部としては、スクリーン印刷やシルク印刷等によって、盛り上がるように（凸状）拡散面に形成してもよい。
【００３９】
導光板２０には、貫通孔２２が形成されており、図３に示すように、この貫通孔２２に第２光源部材６０が光源取付部材６５を介して取り付けられている。第２光源部材６０は、発光ダイオードが使用されている。発光ダイオードは、平面発光型、側面発光型、砲弾型等いずれのタイプのものであってもよく、発光色も特に限定するものではない。好ましくは、砲弾型の発光ダイオードを使用するとよい。砲弾型の発光ダイオードを使用することで、表示板側へ直進する光を多く照射することができる。貫通孔側面は光を遮断可能な光遮断部材を貼着してもよい。導光板２０内へ光を入射したくない場合に有効である。第２光源部材６０の光の色は、限定するものではなく、例えば、白色、赤色、橙色、黄色、緑色、青色、藍色又は紫色のいずれかの色若しくはそれらの色の組み合わせ等であってもよい。第２光源部材６０の色は、第１光源部材１０と同色のものを使用してもよいが、第２光源部材６０の光をより目立たせるために、第１光源部材１０とは異なる色を用いてもよい。例えば、警告色である赤い光を使用すれば、観る者に注意を喚起しやすくすることができる。また、第２光源部材６０の色は、後述する表示板４０に接合される第１シート４２と同色であってもよいが、第２光源部材６０の光をより目立たせるために、この第１シート４２とも異なる色にすると観る者に注意を喚起しやすくすることができる。なお、第２光源部材６０の電源として、筐体等にソーラーパネル等を設け、これらによって発生した電気を利用してもよいし、ソーラーパネルで発生した電気を蓄電池に充電することにより電気を一旦蓄えて使用してもよい。
【００４０】
光源取付部材６５は、図６に示すように、第２光源部材６０の先端を露出しつつ取付可能な嵌挿部材６６と、この嵌挿部材６６を任意の位置に配置可能であって、先端にレンズ６７ａを有する外筒体６７とを備えている。嵌挿部材６６は、略円筒形状に形成されており、中心に第２光源部材６０としての発光ダイオードを挿入することができる。嵌挿部材６６の先端面６６ａは放物曲面をなしており、第２光源部材６０から入射された光はレンズ６７ａ側へ反射させ、レンズ６７ａ側へ平行光を出射するように形成されている（矢印Ｃ）。その他の光は、レンズ６７ａへ直接照射される光（矢印Ｄ）と外筒体６７の側壁６７ｂに直接照射される光（矢印Ｅ）とを有する。一方、外筒体６７は、全体が透明な部材で形成され、先端に拡散用のレンズ６７ａが配置されている。外筒体６７の筒内部は、任意の位置に嵌挿部材６６を固定することができる。そのため、嵌挿部材６６の位置を調整することで、第２光源部材６０からの光が拡散用のレンズ６７ａに入射するときの収束状態や拡散状態を調整することができる。第１実施形態における光源取付部材６５は、第２光源部材６０からレンズ６７ａに照射された光（矢印Ｃ及び矢印Ｄ）は拡散しつつレンズ６７ａの表面から出射する。他方、側壁６７ｂに入射された光（矢印Ｅ）は、側壁６７ｂを通過して側方方向、すなわち貫通孔側面へ出射し、導光板２０内に導入される。
【００４１】
なお、光源取付部材６５は、上記形態に限定されるものではなく、第２光源部材６０の光の必要な拡散状態又は収束状態に応じて選択することができる。例えば、図７Ａに示すように、嵌挿部材６６の先端面６６ａは、平面であってもよいし、図７Ｂに示すように半球面であってもよいし、図７Ｃに示すように凸面であってもよい。他方、外筒体６７のレンズ６７ａの形態も特に限定するものではなく、図８Ａに示すように、凸レンズから成る平行レンズであってもよいし、図８Ｂに示すように凹レンズであってもよいし、図８Ｃのようにレンズでなく、平面であってもかまわない。また、光源取付部材６５を全て透明な部材で作製する代わりに、側壁６７ｂは光を遮断可能な素材で作製したり、光遮断部材を貼着したりしてもよい。導光板２０内へ光を入射したくない場合に有効である。
【００４２】
こうして構成された光源取付部材６５は、図１に示すように、導光板２０に形成された貫通孔２２に嵌め込むことにより導光板２０に取り付けられる。第１実施形態においては、４つの光源取付部材６５が第２表示情報として四角形となるように配置されている。
【００４３】
反射板３０は、導光板２０の拡散面２５ｂに配置されて、導光板２０の拡散面２５ｂ側から導出した光を反射し、導光板２０内へ再度導入する機能を有する。好ましくは、白色のものを使用するとよい。反射板３０は導光板２０に対して両面テープで貼り付けてもよいし、溶着によって接合してもよい。なお、反射板３０は紙状の薄い反射シートであってもよい。
【００４４】
表示板４０は、図１に示すように、１枚の透明なアクリル板４１とその表面に貼付される第１シート４２と、この第１シート４２の表面に貼付される第２シート４３とを備えている。導光板２０側に配置される第１シート４２は、広角プリズム型の再帰性反射シートであり、導光板２０からの光は透過して外側に照射して内照式の表示板のごとく機能し、外側からの光、例えば、車の前照灯を受けた場合には、反射して明るく視認することができる。なお、再帰性反射フィルムは、通常の反射フィルムと比較して光が入射された方向へ出射する光の割合が高いフィルムをいう。広角プリズム型の再帰性反射シートとしては、例えば３Ｍ
ダイヤモンドグレード DG３ 超高輝度反射シート 広角プリズム型（住友スリーエム社製）を好適に使用することができる。外側に配置される第２シート４３は、所望の第１表示情報に切り取ったシートの状態（第１実施形態においては、「５０」の数字状に切り取ってある。）にして第１シート４２に貼り付けてある。これにより、第１表示情報として道路標識の５０ｋｍの速度制限表示の標識として機能する。なお、外側に配置される第２シート４３は、有色の広角プリズム型の再帰性反射シートを用いてもよい。なお、第１シート４２及び第２シートの色は、特に限定するものではなく、種々の色を適宜選択して使用することができる。好適には、第２シート４３の第１表示情報を見やすくするために、第１シート４２と第２シート４３とは、異なる色のシートを使用するとよい。
【００４５】
筐体５０（５０ａ、５０ｂ）は、図１に示すように、前述した第１光源部材１０と、導光板２０と、反射板３０と、表示板４０とを収容するためのもので、ベース部５０ａとカバー部５０ｂとを備えている。ベース部５０ａは、矩形の箱状に形成されており、箱内部に第１光源部材１０、導光板２０と、反射板３０を一体化させた部材を取り付けるための取付部材５１を備えている。また、ベース部５０ａのうち、反射板３０の背面側には、第１光源部材１０や第２光源部材６０の配線又は制御回路（図示しない。）等を収容可能なスペースが設けられている。カバー部５０ｂは、図３に示すように、正面が開口された箱状に形成されており、ベース部５０ａに被せることで、外側からは表示板４０のみが視認することができる。
【００４６】
こうして作製された各構成部品は、図１に示すように、まず、光源取付部材６５を取着可能な貫通孔２２を有する導光板２０を用意し、この導光板２０の背面に貫通孔２２と同様の孔が形成された反射板３０を両面テープによって背面に貼着する。貫通孔２２には、第２光源部材６０が取り付けられた光源取付部材６５を嵌めこむ。第１光源部材１０が取り付けられた保持部材１４を入射側面２１（底面）に光源１１が配置されるように取り付ける。そして、必要な変圧器、整流器、コンデンサ等の電源ユニットや第１光源部材１０及び第２光源部材６０のオンオフを制御する制御回路等をベース部のスペースに配置した後、第１光源部材１０、導光板２０及び反射板３０からなるユニットを螺子部材等でベース部５０ａの取付部材５１に取り付ける。そして、表示板４０を配置した状態でカバー部５０ｂを固定して、図２に示す表示装置１００が完成する。
【００４７】
こうして完成した表示装置１００によれば、通常は第１光源部材１０のみを発光させることで導光板２０を介して表示板４０全体にほぼ均一の光を照射するので、速度制限表示である「５０」及び図形を表示させることができ、標識として使用することができる。この状態から何らかのアクシデントが発生した場合、第２光源部材６０を点灯させることによって、図９に示すように、第２光源部材６０の警告色である赤い光がスポット的に明るく発光するため、標識を視認した人に対して、何らかの異常があったことを知らせて注意を喚起することができる。この際に、例えば、光源取付部材６５として、図７Ｃに示したように、側壁６７ｂから多くの光が透過するように形成したものを使用すれば、第２光源部材６０の光が多く導光板２０内に拡散するので、第２光源部材６０の光が比較的表示板全体に拡散して赤く光らせることができる。第２光源部材６０の光が表示板４０全体に拡散して第２光源部材６０の光を認識するために、好ましくは第２光源部材６０の光全体の１５％以上、より好ましくは３０％以上の光を導光板２０内に導入するとよい。一方で、側壁６７ｂを不透過性に形成すれば、導光板２０内に導入される光を遮断し、ほぼ全ての光がレンズ６７ａ側から出射するので、よりスポット性の高く明るい光を表示板４０に照射することができる。
【００４８】
また、第２光源部材６０を発光させる際には、第１光源部材１０を点灯したままであってもよいが、第１光源部材１０を消灯したり、又は弱くなるように制御すれば、図１０に示すように、表示板４０の表示情報が認識しづらくなるため、第２光源部材６０の光をより強調させることができる。また、視認者の注意を喚起させるために、第１光源部材及び／又は第２光源部材６０は、点滅又は光の強弱を周期的又は非周期的に変化するように制御しても良い。例えば、夜のある所定の時間帯のみを点滅させたりしてもよい。こうした第１光源部材１０や第２光源部材６０の光の制御には、電力網の電源を使用してもよいし、太陽光発電により蓄電された蓄電池の電気を利用してもよい。こうした光源部材の光の制御を行ったり、蓄電池の電気を利用したりすることは、省エネルギーに資する。
【００４９】
（第２実施形態）
本発明にかかる表示装置にかかる導光板２０の変形例について第２実施形態として図１１及び図１２を参照して説明する。図１１は、第２実施形態にかかる表示装置に使用される導光板２０の正面図である。図１２は、第２実施形態にかかる導光板２０を使用した表示装置１００において第２光源部材６０を点灯した状態を示す斜視図である。
【００５０】
第２実施形態にかかる導光板２０は、図１１に示すように、１９個の第２光源部材６０が取り付けられた光源取付部材６５が第２表示情報として「止」の文字になるように配置されている。その他の構成は第１実施形態と同様である。
【００５１】
第２実施形態にかかる導光板２０を使用した表示装置１００を使用すれば、図１２に示すように、第２光源部材６０を点灯した際に、「止」文字の形状に点灯するので視認者に対して明確に「止まれ」という表示情報を表示することができる。
【００５２】
（第３実施形態）
本発明にかかる表示装置１００にかかる導光板２０のさらに別の変形例について第３実施形態として図１３を参照して説明する。図１３は、第３実施形態にかかる表示装置に使用される導光板２０の正面図である。
【００５３】
第３実施形態にかかる導光板２０は、図１３に示すように、複数の第２光源部材６０が取り付けられた光源取付部材６５が格子状に配置されている。その他の構成は第１実施形態と同様である。
【００５４】
第３実施形態にかかる導光板２０を使用した表示装置１００を使用すれば、点灯する第２光源部材６０を制御することによって任意の異なる表示情報を表示することができる。例えば、１３Ａに示すように、第２光源部材６０を点灯した際に、第２表示情報として「止」文字の形状に点灯することもできる。また、図１３Ｂに示すように第２表示情報として「→」との右矢印の形状に点灯することもできる。
【００５５】
（第４実施形態）
本発明にかかる表示装置１００の第４実施形態について図１４を参照して説明する。第４実施形態にかかる表示装置１００は、第２光源部材６０が、光源取付部材６５を介することなく直接に導光板２０に取り付けられている点が異なる。それ以外の点は第１実施形態と同様である。第２光源部材６０を直接に導光板２０に取り付ける際には、上方第２光源部材６０ａのように、第２光源部材６０を埋設するように配置してもよいし、下方第２光源部材６０ｂにように、導光板２０にレンズ状の穴を形成して配置してもよい。導光板２０に直接配置することで、第２光源部材６０の光を導光板２０内にも拡散しやすくすることができる。
【００５６】
なお、本発明は上述した実施形態に何ら限定されることはなく、本発明の技術的範囲に属する限り種々の態様で実施し得ることはいうまでもない。
【００５７】
上述した実施形態においては、正面が正方形に形成された筐体５０で説明したが、筐体の形状は限定するものではない。正面が円形の形成されたものや、長方形、三角形、五角形の形成されたもの等適宜選択して使用することができる。
【００５８】
また、上述した実施形態においては、第１光源部材１０は、入射側面２１に１つのみ設置したが、複数の側面２７、２８、２９に第１光源部材１０を設置してもよい。
【００５９】
さらに、前述した実施形態においては、拡散面２５ｂにのみ拡散ドット２６を設けたが、出射面２５ａにそれぞれ同様の拡散ドットや拡散溝を設けてもよい。
【００６０】
さらに、前述した実施形態においては、導光板２０の入射側面から入射された光を出射面２５ａから出射させる手段として拡散ドット２６を使用したが、これに限定するものではなく、レーザ加工、切削加工からなる溝であってもよいし、粗面であってもよい。また、可視光を拡散可能な微粒子状の拡散剤を添加した導光板であってもよい。
【００６１】
さらに、前述した実施形態においては、表示板４０は、透明なアクリル板４１、第１シート４２及び第２シート４３からなり、外側に配置される第２シート４３は、所望の表示情報に切り取ったシートを第１シート４２に貼り付けるものとしたが、図１５に示すように、切り取ったシートではなく、あらかじめ第１シート４２に表示情報を印刷したものであってもよい。
【００６２】
また、上述した実施形態において、表示板４０は、広角プリズム型の再帰性反射シートを使用したが、透明なアクリル板４１の代わりに、厚さ１．０ｍｍから５．０ｍｍの乳半板を使用し、この乳半板の表面に文字、図形、記号又はこれらの組み合わせた所定の情報を印刷したり、所定の情報に形成されたフィルムを貼着したり、所定の情報が印刷されたフィルムを貼着したりすることで、表面に表示情報が付してもよい。
【００６３】
さらに、前述した実施形態においては、表示装置として道路標識を利用して説明したが、道路標識に限らず、鉄道用標識であってもよい。また、表示装置としては標識以外の看板等に使用してもよい。
【産業上の利用可能性】
【００６４】
上述した実施の形態で示すように、道路標識として利用することができる。
【符号の説明】
【００６５】
１０…第１光源部材、１１…光源、１２…基板、１３…電源コード、
１４…保持部材、２０…導光板、２１…入射側面、２２…貫通孔、
２５ａ…出射面、２５ｂ…拡散面、２６…拡散ドット、２７…側面、
３０…反射板、４０…表示板、４１…アクリル板、４２…第１シート、
４３…第２シート、５０…筐体、５０ａ…ベース部、５０ｂ…カバー部、
５１…取付部材、６０…第２光源部材、６０ａ…上方第２光源部材、
６０ｂ…下方第２光源部材、６５…光源取付部材、６６…嵌挿部材、
６６ａ…先端面、６７…外筒体、６７ａ…レンズ、６７ｂ…側壁、
１００…表示装置
【図１】
2014098775.tif 000003
【図２】
2014098775.tif 000004
【図３】
2014098775.tif 000005
【図４】
2014098775.tif 000006
【図５】
2014098775.tif 000007
【図６】
2014098775.tif 000008
【図７】
2014098775.tif 000009
【図８】
2014098775.tif 000010
【図９】
2014098775.tif 000011
【図１０】
2014098775.tif 000012
【図１１】
2014098775.tif 000013
【図１２】
2014098775.tif 000014
【図１３】
2014098775.tif 000015
【図１４】
2014098775.tif 000016
【図１５】
2014098775.tif 000017